(57)【要約】      （修正有）【課題】個人の努力の程度によって回復度合いに差が生じることを解消するため、患者があらかじめ用意した手袋に挿入することによって、誰でも何時でも簡単にリハビリできる指矯正具を提供する。【解決手段】一本の指を支持するための弾性を有する複数の支持部材２を設け、当該複数の支持部材２を掌底に当接して固定する基部１０と、当該複数の支持部材２を指先端で接合する接合部４とを設けた。また、当該複数の支持部材２どうしが開かないように保持する保持部５を設けた。【選択図】図５
0003222763.tif 000002
【実用新案登録請求の範囲】
【請求項１】
１本の指を支持するための弾性を有する複数の支持部材を有し、
掌底に当接して前記複数の支持部材を固定する基部と、
指先端で前記複数の支持部材を接合する接合部と、
を設けた指矯正具。
【請求項２】
前記複数の支持部材どうしが開かないように保持する保持部を設けた請求項１に記載の指  矯正具。
【請求項３】
前記保持部は、指の略第1関節部に位置して設けた請求項２に記載の指矯正具。
【請求項４】
前記複数の支持部材は１本の線状の弾性体からなり、前記接合部は、前記弾性体をＵ字形  状に曲げてなる、
請求項１から請求項３のいずれか１項に記載の指矯正具。
【請求項５】
外郭を覆うカバーを設けた、
請求項１から請求項４のいずれか１項に記載の指矯正具。
【考案の詳細な説明】
【技術分野】
【０００１】
本考案は、手足の病気、負傷等の手術後、腱の萎縮により起る指の湾曲を矯正して回復を促進し、指治療を行うための指矯正具に関する。
【背景技術】
【０００２】
手術後に起りやすい指の腱の萎縮により起る指の湾曲を防止するため、自らが指の曲げ伸しをして、リハビリに努める必要があった。しかし乍ら、患者の努力不足により、指が湾曲したまま固まってしまうこともあり医療関係者の課題でもあった。
【０００３】
特許文献１は、後遺症で湾曲した指を入れる手袋と板状プレートで構成されており、湾曲した指を固定して矯正するものである。
【０００４】
特許文献２は、手の指を伸す方向への力を助勢する拡張力を発揮する弾性補助材を手袋の外側に設け、手を握ったり開いたり指の相互間を開閉することで指や手の機能回復、強化を図るものである。
【先行技術文献】
【特許文献】
【０００５】
【特許文献１】特開２００７−１３０４２８号公報
【特許文献２】特開２０１１−３６４９４号公報
【考案の概要】
【考案が解決しようとする課題】
【０００６】
背景技術において特許文献１では、湾曲した指を手袋と板状プレートに固定して矯正する為、手、指の開閉や屈伸運動が抑制され、個々の指を個別に動かし、十分なリハビリ効果が得られないといった課題があった。
【０００７】
特許文献２では、手の指を伸す方向への力を助勢する拡張力を発揮する弾性補助材により各指の開閉や屈伸が自由に行える機能回復効果は期待できるが、１本の弾性補助材にて指を支持するため、弾性補助材と指の位置がずれた場合には確実に引き延ばす力を集中することができず、十分な手の指矯正効果が得られないといった課題があった。
【０００８】
本考案は、個人の努力の程度によって回復度合いに差が生じることを解消するため、患者があらかじめ用意した手袋に本考案の指矯正具を挿入することによって、誰でも何時でも簡単にリハビリできる指矯正具を提供することにある。
【課題を解決するための手段】
【０００９】
本考案は、一本の指を支持するための弾性を有する複数の支持部材を有し、掌底に当接して前記複数の支持部材を固定する基部と、指先端で前記複数の支持部材を接合する接合部と、を設けたものである。
【００１０】
また、本考案は、複数の支持部材どうしが開かないように保持する保持部を設けたものである。
【００１１】
また、本考案の保持部は、指の略第1関節部に位置して設けられたものである。
【００１２】
また、本考案の複数の支持部材は１本の線状の弾性体からなり、接合部は、弾性体をＵ字形状に曲げてなるものである。
【００１３】
また、本考案は、外郭を覆うカバーを設けたものである。
【考案の効果】
【００１４】
本考案の指矯正具は、湾曲した指に対応して個々に独立して支持しているため、湾曲した指に力を集中させることが出来る。又各指の開閉運動が自由に行えるため就寝中はもとより何時でも何処でも使用上の制約が少なく使用できるという効果を有する。
【図面の簡単な説明】
【００１５】
【図１】本考案の実施例１における指矯正具の正面図である。
【図２】本考案の実施例１における指矯正具をカバーで覆った正面図である。
【図３】本考案の実施例１における指矯正具をカバーで覆い、手袋に挿入して使用する際の斜視図である。
【図４】本考案の実施例１における指矯正具を使用した状態を示す指先端部の縦断面図である。
【図５】本考案の実施例２における指矯正具の正面図である。
【図６】本考案の実施例３における指矯正具の正面図である。
【考案を実施するための形態】
【００１６】
以下、本考案の実施の形態について、添付図面を参照して説明する。
【実施例１】
【００１７】
図1は、本考案の実施例１における指矯正具１の正面図である。指矯正具１は、支持部材２と、基部１０と、接合部４より構成される。支持部材２は、各々１本の指に対し２本設けられ、その先端側はＵ字状に折り曲げられた接合部４により接合されている。
１対の支持部材２は、１本の指を挟むように指を支持し、本実施形態では４対の支持部材２が設けられている。
【００１８】
４対の支持部材２は掌底部において図１に示すように連結されており、それら全ての連結部が樹脂又はゴム等で出来たプレート３にて固定されており、これらの連結部とプレート３により基部１０を構成している。
【００１９】
ピアノ線等の弾性を有する１本の線材を折り曲げて支持部材２、接合部４を一体的に加工して容易に完成することが出来る。基部１０は掌底に接しており、湾曲した指と接した支持部材２が指の湾曲方向に働く力に抗して反発力を生み湾曲した指を伸す力が働き、湾曲した指を矯正することができる。
また、接合部４は、支持部材２をＵ字状に折り曲げた構成であり、指先端の形状に沿うため、支持部材２が指を支持しやすいという効果を有する。
【００２０】
湾曲した指を伸す為の力は、個々の症状によって異なるが線材の太さや材質を選択することによって容易に調整することが出来る。
指矯正具１の図示説明に親指を除いた４本の指で行っているが、治療の対象となる指に合わせ、本数を適宜調整することは容易である。
【００２１】
図２は、実施例１における本考案の指矯正具１をカバー６で覆った正面図である。指矯正具１の外郭を布製等のカバー６で覆うことによって、指矯正具１の外郭の形状を保持すると共に指を手袋に挿入しやすくする効果がある。又適宜取り外して洗濯することも可能で清潔に使用することが出来る。
【００２２】
図３は、実施例１における本考案の指矯正具１をカバー６で覆い、手袋７に挿入して使用する際の斜視図である。布、皮等で出来た患者自身の手の大きさに合った手袋７にカバー６で覆われた指矯正具１を挿入した後、指矯正具１と手袋７の間に指矯正具１側に手の平を沿わせて挿入する。このとき湾曲した指が手袋７と指矯正具１の弾性により挟まれて伸びる。手袋７は、大きすぎると力が掛りにくいので患者自身の手の大きさに合わせ、強度も軍手の様な強度があれば効果的である。
【００２３】
図４は、実施例１における本考案の指矯正具１を使用した状態を示す指先端部の縦断面図である。図４の（ａ）は、湾曲した指を挿入した直後の状態を示した図である。図４の（ｂ）は、湾曲した指が手袋７と支持部材２によって挟まれて伸びた状態を示した図である。
【００２４】
湾曲した指の手の平側が支持部材２と接し、手の甲側から手袋７で挟み込んで指を伸すように力が掛る。支持部材２は、湾曲した指の力に打ち勝って直線を維持する強度と指の屈伸運動を可能にする弾力性のあるピアノ線等の線材から出来ている。
又指の症状に合わせて線材の太さを変えて指に掛る力を適宜調整することも可能である。
【実施例２】
【００２５】
図５は、本考案の実施例２における指矯正具１の正面図である。
本実施例の指矯正具１は、図１に示す実施例１と基本的に同一の構成であるが、支持部材２の間隔が開かないように合成樹脂製のチューブを挿入した保持部５が設けられたものである。保持部５は、粘着テープによって簡便に保持することも可能である。保持部５の位置は、特に力の掛る指の第一関節あたりに設けられているため、支持部材２が開きにくいという効果がある。
【実施例３】
【００２６】
図６は、本考案の実施例３における指矯正具１の正面図である。
本実施例の指矯正具１は、図５に示す実施例２と基本的に同一の構成であるが、支持部材２同士が連結していない点において異なっている。
１対の支持部材２には合成樹脂製の接合部４が設けられて上端部が接合され、下端部はプレート３に差し込まれて基部１０を構成している。
支持部材２は各々の指の長さに対応しており、プレート３には支持部材２を差し込んで固定するための穴が設けてある。接合部４も同様に支持部材２を差し込んで固定する為の穴が設けてあり、差し込んで固定される。他の固定の方法としては接着により固定することも可能である。
支持部材２は１本１本独立しており、それぞれの指に対応した矯正力を支持部材２の線材の太さを変えて調整することも可能である。
【００２７】
以上の構成により指を固定することへの弊害を無くし、手袋感覚で就寝中はもとより何時でも何処でも容易に使用することができる。又各々の指は弾性を有する支持部材２で支持されており、各々の指の曲げ伸しや指相互の開閉を自由に行うことができ、高いリハビリ効果の得られる指矯正具を提供出来る。
【００２８】
また、湾曲した指に対応して個々に独立して支持しているため、湾曲した指に力を集中させることが出来る。又各指の開閉運動が自由に行えるため就寝中はもとより何時でも何処でも使用上の制約が少なく使用できるという効果を有する。
又、手の指の矯正に絞って説明しましたが、足の指についても本考案の如く容易に応用することが出来る。
【符号の説明】
【００２９】
１  指矯正具
２  支持部材
３  プレート
４  接合部
５  保持部
６  カバー
７  手袋
１０  基部
【図１】
0003222763.tif 000003
【図２】
0003222763.tif 000004
【図３】
0003222763.tif 000005
【図４】
0003222763.tif 000006
【図５】
0003222763.tif 000007
【図６】
0003222763.tif 000008